(57)【要約】【課題】ちらつきを改善する。【解決手段】表示装置は、画像を表示する表示部と、複数の単位領域を有する視差調整部と、利用者を撮影した画像に基づいて前記利用者の右眼及び左眼の位置を検出し、検出された前記右眼及び左眼の位置に応じて、前記表示部に表示される右眼用画像の画素及び左眼用画像の画素の画素表示を決定するとともに、前記右眼及び左眼の位置及び前記画素表示に応じて前記視差調整部に含まれる複数の前記単位領域について光透過状態を設定する制御部と、複数の前記単位領域に対応してそれぞれ設けられ、かつ、前記単位領域の光透過状態を設定するための信号を、対応する単位領域に印加する複数の導体と、複数の前記導体同士を、所定の抵抗値で電気的に接続する接続部とを有する。【選択図】図１
2015125428.tif 000002
【特許請求の範囲】
【請求項１】
画像を表示する表示部と、
複数の単位領域を有する視差調整部と、
利用者を撮影した画像に基づいて前記利用者の右眼及び左眼の位置を検出し、検出された前記右眼及び左眼の位置に応じて、前記表示部に表示される右眼用画像の画素及び左眼用画像の画素の画素表示を決定するとともに、前記右眼及び左眼の位置及び前記画素表示に応じて前記視差調整部に含まれる複数の前記単位領域について光透過状態を設定する制御部と、
複数の前記単位領域に対応してそれぞれ設けられ、かつ、前記単位領域の光透過状態を設定するための信号を、対応する単位領域に印加する複数の導体と、
複数の前記導体同士を、所定の抵抗値で電気的に接続する接続部と、
を含む、表示装置。
【請求項２】
前記複数の導体は、前記視差調整部の各単位領域に対応する複数の電極であり、
前記接続部は、前記所定の抵抗値を有し、前記視差調整部の各単位領域に対応する複数の信号線に接し、かつ、前記単位領域に対応する空間に注入される液晶を封止するためのシール材である、請求項１に記載の表示装置。
【請求項３】
前記複数の導体は、前記視差調整部の信号線であり、
前記接続部は、前記所定の抵抗値を有し、前記複数の信号線同士を電気的に接続する配線である、
請求項１に記載の表示装置。
【請求項４】
前記複数の導体それぞれに対応して設けられ、かつ、対応する導体に信号を印加する状態と対応する導体に信号を印加しない状態とのいずれかの状態に設定可能な回路を有し、
前記複数の導体のうち、異なる２種類の電圧値が印加されている２つの導体の間に挟まれた導体であり、かつ、前記２種類の電圧値の間の電位である中間電位に設定される導体に対応する回路は、対応する導体に信号を印加しない状態に設定される、請求項１から請求項３のいずれか１項に記載の表示装置。
【請求項５】
前記回路は、前記制御部に設けられたドライバ回路であり、
前記対応する導体に信号を印加しない状態は、前記ドライバ回路の出力側をハイインピーダンスにする状態である、
請求項４に記載の表示装置。
【請求項６】
前記回路は、前記視差調整部に設けられたドライバ回路であり、
前記対応する導体に信号を印加しない状態は、前記ドライバ回路の出力側をハイインピーダンスにする状態である、
請求項４に記載の表示装置。
【請求項７】
画像を表示する表示部を形成し、
前記表示部に表示される右眼用画像の画素及び左眼用画像の画素の画素表示を決定するとともに、前記右眼及び左眼の位置及び前記画素表示に応じて、視差調整部に含まれる複数の単位領域について光透過状態を設定する視差調整部を形成し、
前記視差調整部の各単位領域に対応してそれぞれ設けられている複数の電気的要素であり、対応する単位領域に該領域の光透過状態を設定するための信号を印加する複数の電気的要素を、所定の抵抗値で電気的に接続する接続部を形成する、
表示装置の製造方法。
【発明の詳細な説明】
【技術分野】
【０００１】
本開示は、画像を表示する表示装置及びそのような表示装置の製造方法に関する。
【背景技術】
【０００２】
近年、表示装置は、画質や消費電力などの観点から、液晶表示装置、プラズマ表示装置、有機ＥＬ表示装置などの様々な種類のものが開発されており、それらの特性に応じて、据置型の表示装置の他、携帯電話、携帯型情報端末など、様々な電子機器に適用されている。
【０００３】
表示装置には、両眼の視差を利用し、立体表示を実現する装置がある。このような表示装置には、利用者の両眼の位置を検出して制御を行う、両眼視差バリア方式のアイトラッキング対応の表示装置がある。
【先行技術文献】
【特許文献】
【０００４】
【特許文献１】特開２００５−１５７０３３号公報
【発明の概要】
【発明が解決しようとする課題】
【０００５】
ところで、両眼視差バリア方式のアイトラッキング対応の表示装置において、トラッキング時の輝度変化がちらつきとして視認されることがある。ちらつきは、液晶の立ち上がりの速度と立ち下がりの速度とが異なることが原因である。
【０００６】
本開示は、ちらつきを改善できる表示装置及び表示装置の製造方法を提供することを目的とする。
【課題を解決するための手段】
【０００７】
本発明の一態様による表示装置は、画像を表示する表示部と、複数の単位領域を有する視差調整部と、利用者を撮影した画像に基づいて前記利用者の右眼及び左眼の位置を検出し、検出された前記右眼及び左眼の位置に応じて、前記表示部に表示される右眼用画像の画素及び左眼用画像の画素の画素表示を決定するとともに、前記右眼及び左眼の位置及び前記画素表示に応じて前記視差調整部に含まれる複数の前記単位領域について光透過状態を設定する制御部と、複数の前記単位領域に対応してそれぞれ設けられ、かつ、前記単位領域の光透過状態を設定するための信号を、対応する単位領域に印加する複数の導体と、複数の前記導体同士を、所定の抵抗値で電気的に接続する接続部とを有する。
【０００８】
望ましい一態様として、前記複数の導体は、前記視差調整部の各単位領域に対応する複数の電極であり、前記接続部は、前記所定の抵抗値を有し、前記視差調整部の各単位領域に対応する複数の信号線に接し、かつ、前記単位領域に対応する空間に注入される液晶を封止するためのシール材であることが好ましい。
【０００９】
望ましい一態様として、前記複数の導体は、前記視差調整部の信号線であり、前記接続部は、前記所定の抵抗値を有し、前記複数の信号線同士を電気的に接続する配線であることが好ましい。
【００１０】
望ましい一態様として、前記複数の導体それぞれに対応して設けられ、かつ、対応する導体に信号を印加する状態と対応する導体に信号を印加しない状態とのいずれかの状態に設定可能な回路を有し、前記複数の導体のうち、異なる２種類の電圧値が印加されている２つの導体の間に挟まれた導体であり、かつ、前記２種類の電圧値の間の電位である中間電位に設定される導体に対応する回路は、対応する導体に信号を印加しない状態に設定されることが好ましい。
【００１１】
望ましい一態様として、前記回路は、前記制御部に設けられたドライバ回路であり、前記対応する導体に信号を印加しない状態は、前記ドライバ回路の出力側をハイインピーダンスにする状態であることが好ましい。
【００１２】
望ましい一態様として、前記回路は、前記視差調整部に設けられたドライバ回路であり、前記対応する導体に信号を印加しない状態は、前記ドライバ回路の出力側をハイインピーダンスにする状態であることが好ましい。
【００１３】
本発明の一態様による表示装置の製造方法は、画像を表示する表示部を形成し、前記表示部に表示される右眼用画像の画素及び左眼用画像の画素の画素表示を決定するとともに、前記右眼及び左眼の位置及び前記画素表示に応じて、視差調整部に含まれる複数の単位領域について光透過状態を設定する視差調整部を形成し、前記視差調整部の各単位領域に対応してそれぞれ設けられている複数の電気的要素であり、対応する単位領域に該領域の光透過状態を設定するための信号を印加する複数の電気的要素を、所定の抵抗値で電気的に接続する接続部を形成する。
【図面の簡単な説明】
【００１４】
【図１】図１は、表示装置の一構成例を表すブロック図である。
【図２】図２は、表示装置のバックライトと表示部とバリア部の構成の一例を示す斜視図である。
【図３】図３は、表示部の画素とバリア部の単位領域との関係を示す斜視図である。
【図４】図４は、表示部及びバリア部を実装したモジュールの概略断面構造を表す断面図である。
【図５】図５は、表示部の画素配列の一例を表す回路図である。
【図６】図６は、カラー表示における画素の模式図である。
【図７】図７は、モノクロ表示における画素の模式図である。
【図８】図８は、制御部による制御方法の概念を示す図である。
【図９】図９は、表示部に表示される右眼用画像の画素および左眼用画像の画素の画素表示の一例を示す図である。
【図１０】図１０は、利用者の左眼により視認される視認範囲の一部を示す図である。
【図１１】図１１は、利用者の右眼により視認される視認範囲の一部を示す図である。
【図１２】図１２は、制御部による右眼用画像の画素および左眼用画像の画素の画素表示の変更例を示す図である。
【図１３】図１３は、制御部による制御の流れを示すフローチャートである。
【図１４】図１４は、バリア部の構成例を示す図である。
【図１５】図１５は、トラッキングを行った場合のバリア部の断面の一例を模式的に示す図である。
【図１６】図１６は、トラッキングを行った場合のバリア部の断面の一例を模式的に示す図である。
【図１７】図１７は、トラッキングを行った場合のバリア部の断面の一例を模式的に示す図である。
【図１８】図１８は、トラッキングを行った場合のバリア部の断面の一例を模式的に示す図である。
【図１９】図１９は、トラッキングを行った場合のバリア部の断面の一例を模式的に示す図である。
【図２０】図２０は、トラッキングを行った場合のバリア部の断面の一例を模式的に示す図である。
【図２１】図２１は、トラッキングを行う際の表示装置全体での透過率の変化の測定例を示す図である。
【図２２】図２２は、各信号線同士を接続する接続部の変形例１を示す図である。
【図２３】図２３は、各信号線同士を接続する接続部の変形例２を示す図である。
【図２４】図２４は、各信号線同士を接続する接続部の変形例３を示す図である。
【図２５】図２５は、バリア部の製造方法の一例を示す図である。
【図２６】図２６は、バリア部の製造方法の一例を示す図である。
【図２７】図２７は、バリア部の製造方法の一例を示す図である。
【図２８】図２８は、バリア部の製造方法の一例を示す図である。
【図２９】図２９は、バリア部の製造方法の一例を示す図である。
【図３０】図３０は、バリア部の製造方法の一例を示す図である。
【図３１】図３１は、実施形態に係る表示装置の製造方法の一例を示すフローチャートである。
【図３２】図３２は、本実施形態に係る表示装置を適用する電子機器の一例を示す図である。
【図３３】図３３は、本実施形態に係る表示装置を適用する電子機器の一例を示す図である。
【発明を実施するための形態】
【００１５】
以下に、本発明の各実施の形態について、図面を参照しつつ説明する。
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
また、本明細書と各図において、既出の図に関して前述したものと同様の要素には、同一の符号を付して、詳細な説明を適宜省略することがある。
【００１６】
なお、説明は以下の順序で行う。
１．実施形態（表示装置）
２．適用例
３．本開示の構成
【００１７】
［１．実施形態］
本実施形態に係る表示装置は、例えば、表示部に積層されるバリア部を制御することにより、三次元画像を表示させる表示装置に適用することができる。表示装置の表示部としては、例えば、液晶表示（ＬＣＤ）パネル、ＭＥＭＳ（Ｍｉｃｒｏ  Ｅｌｅｃｔｒｏ  Ｍｅｃｈａｎｉｃａｌ  Ｓｙｓｔｅｍｓ）などがある。
【００１８】
本実施形態に係る表示装置は、モノクロ表示対応の表示装置及びカラー表示対応の表示装置のいずれにも適用できる。カラー表示対応の表示装置とした場合、カラー画像を形成する単位となる１つの画素（単位画素）が、複数の副画素（サブピクセル）を含むことになる。より具体的には、カラー表示対応の表示装置では、１つの画素は、例えば、赤色（Ｒｅｄ；Ｒ）を表示する副画素、緑色（Ｇｒｅｅｎ；Ｇ）を表示する副画素及び青色（Ｂｌｕｅ；Ｂ）を表示する副画素の３つの副画素を含む。
【００１９】
１つの画素は、ＲＧＢの３原色の副画素の組み合わせに限定されず、ＲＧＢの３原色の副画素に更に１色又は複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。
【００２０】
（構成）
図１は、本実施形態に係る表示装置の機能構成の一例を示すブロック図である。図２は、図１に示す表示装置のバックライト、表示部及びバリア部の構成の一例を示す斜視図である。図３は、表示部の画素とバリア部の単位領域との関係を示す斜視図である。図２及び図３は模式的に表したものであり、実際の寸法、形状と同一とは限らない。図１に示す表示装置１は、例えば、本開示の表示装置の一例である。図１に示すバリア部６は、本開示の視差調整部の一例である。
【００２１】
表示装置１は、例えば、所定位置から画面を見ている利用者が裸眼で三次元画像を認識できる画像を表示させる。表示装置１は、図１に示すように、バックライト２と、表示部４と、接続部４５と、バリア部６と、撮像部８と、制御部９とを有する。表示装置１は、バックライト２、表示部４及びバリア部６が、例えば、この順で積層されている。
【００２２】
バックライト２は、表示部４に向けて面状の光を出射する照明装置である。バックライト２は、例えば、光源と導光板とを有し、光源から出射された光を導光板で散乱させつつ、表示部４と対面する出射面から出射する。
【００２３】
表示部４は、画像を表示する。表示部４は、図３に示すように多数の画素が二次元配列で配置された液晶パネルである。表示部４は、バックライト２から出射された光が入射する。表示部４は、各画素に入射される光を透過させるか、遮断させるかを切り換えることで、図２に示す表示面４Ｓに画像を表示させる。
【００２４】
接続部４５は、バリア部６を構成する各単位領域に対応してそれぞれ設けられている複数の導体を、一定の抵抗値で電気的に接続する。例えば、一定の抵抗値を有するシール材を接続部４５とし、このシール材により、バリア部６の単位領域電極を電気的に接続してもよい。この場合、単位領域電極が、導体である。シール材により、バリア部６の各単位領域に対応する複数の電極に対応する複数の信号線に接し、かつ、単位領域に対応する空間に注入される液晶が封止される。また、例えば、一定の抵抗値を有する配線を接続部４５とし、この配線により、バリア部６の各単位領域に対応してそれぞれ設けられている信号線を電気的に接続してもよい。この場合、信号線が、導体である。
【００２５】
バリア部６は、表示部４の画像が表示される表示面４Ｓ（図２参照）、つまり、バックライト２と対面している面とは反対側の面に配置されている。以下の説明では、単位領域１５０の並ぶ方向を第１方向、各単位領域１５０の伸びる方向を第２方向、第１方向及び第２方向の両者に直交する方向を第３方向とする。
バリア部６は、図３に示すように、第２の方向に伸びた単位領域１５０が、第２の方向に直交する第１方向に列状に複数配置されている。バリア部６は、例えば、液晶パネルであり、透過領域又は遮光領域に部分的に電圧を印加して液晶を配向させる。このような動作により、バリア部６は、各単位領域１５０に入射される光を、光を出射する側の面（例えば、図２に示す面６Ｓ）から透過させるか、遮断させるかを切り換える。これにより、バリア部６は、第２の方向において、表示部４に表示される画像を透過させる領域と遮断させる領域とを調整する。本実施形態において、バリア部６は、視差調整部の一例である。
【００２６】
撮像部８は、画像を撮影する。撮像部８は、例えば、カメラが用いられる。バリア部６を制御して、三次元画像を表示する表示装置１では、いわゆるヘッドトラッキング技術又はアイトラッキング技術等が利用される。ヘッドトラッキング技術又はアイトラッキング技術は、ともに撮像部８によって利用者の画像を撮影し、画像内の利用者の眼球の位置を検出又は計測する技術を利用する。
【００２７】
制御部９は、表示装置１の各部の動作を制御する。具体的には、制御部９は、バックライト２の点灯及び消灯や、点灯時の光量及び光の強度を制御し、表示部４に表示させる画像を制御し、バリア部６の各単位領域１５０の動作（透過・遮断）を制御し、撮像部８の撮像動作を制御する。制御部９は、表示部４に表示させる画像及びバリア部６の各単位領域１５０の動作（透過・遮断）を制御することにより、三次元画像の表示を実現する。本実施形態における制御部９は、制御部の一例である。
【００２８】
制御部９は、例えば、演算装置であるＣＰＵ（Ｃｅｎｔｒａｌ  Ｐｒｏｃｅｓｓｉｎｇ  Ｕｎｉｔ）と、記憶装置であるメモリとを備えたコンピュータである。制御部９は、これらのハードウェア資源を用いてコンピュータプログラムを実行することによって各種の機能を実現することもできる。具体的には、制御部９は、所定の記憶部（図示せず）に記憶されているコンピュータプログラムを読み出してメモリに展開し、メモリに展開されたプログラムに含まれる命令をＣＰＵに実行させる。そして、制御部９は、ＣＰＵによる命令の実行結果に応じて、バックライト２の点灯及び消灯並びに点灯時の光量及び光の強度を制御し、表示部４に表示させる画像を制御し、バリア部６の各単位領域１５０の動作（透過・遮断）を制御したりする。
【００２９】
本実施形態における制御部９による三次元画像の表示について説明する。制御部９は、撮像部８によって取得された画像に基づいて、利用者の右眼及び左眼の位置を検出する。制御部９は、利用者の右眼及び左眼の位置並びに表示装置１と右眼及び左眼の位置との距離に応じて、表示部４に表示させる右眼用画像の画素及び左眼用画像の画素それぞれの表示内容である画素表示を決定する。続いて、制御部９は、利用者の右眼及び左眼の位置及び画素表示に応じて、バリア部６の各単位領域１５０の中から、光を透過させる単位領域１５０と光を遮断させる単位領域１５０とを決定する。すなわち、制御部９は、バリア部６の単位領域１５０を介して、右眼用画像が利用者の右眼により視認され、左眼用画像が利用者の左眼により視認されるように、バリア部６の光の透過を制御する。このようにして、表示装置１は、利用者が三次元で視認する画像を表示させる。
【００３０】
（表示部及びバリア部）
次に、表示部４及びバリア部６の構成例を説明する。図４は、表示部及びバリア部を実装したモジュールの概略断面構造を表す断面図である。図５は、表示部の画素配列を表す回路図である。図６は、カラー表示における画素の模式図である。図７は、モノクロ表示における画素の模式図である。
【００３１】
図４に示すように、表示装置１は、表示部４にバリア部６が積層される。本実施形態では、表示装置１は、表示部４とバリア部６とが接着層４１で接着されている。表示部４は、画素基板２０と、この画素基板２０の表面に垂直な方向に対向して配置された対向基板３０と、画素基板２０と対向基板３０との間に挿設された液晶層６０とを備えている。
【００３２】
画素基板２０は、回路基板としてのＴＦＴ基板２１と、このＴＦＴ基板２１の表面にマトリックス状に配設された複数の画素電極２２と、このＴＦＴ基板２１と画素電極２２との間に形成された複数の共通電極ＣＯＭＬ及び画素電極２２と共通電極ＣＯＭＬとを絶縁する絶縁層２４とを有する。ＴＦＴ基板２１には、図５に示す各画素５０の薄膜トランジスタ（ＴＦＴ；Ｔｈｉｎ  Ｆｉｌｍ  Ｔｒａｎｓｉｔｏｒ）素子Ｔｒ、各画素電極２２に画素信号を供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画素信号を供給する。図５に示す画素基板２０は、マトリックス状に配列された複数の画素５０を有している。画素５０は、ＴＦＴ素子Ｔｒ及び液晶ＬＣを備えている。ＴＦＴ素子Ｔｒは、図５に示す例では、ｎチャネルのＭＯＳ（Ｍｅｔａｌ  Ｏｘｉｄｅ  Ｓｅｍｉｃｏｎｄｕｃｔｏｒ）型のＴＦＴ素子で構成されている。ＴＦＴ素子Ｔｒのソースは画素信号線ＳＧＬに接続され、ゲートは走査信号線ＧＣＬに接続され、ドレインは液晶ＬＣの一端に接続されている。液晶ＬＣは、一端がＴＦＴ素子Ｔｒのドレインに接続され、他端が共通電極ＣＯＭＬに接続されている。
【００３３】
画素５０は、走査信号線ＧＣＬにより、画素基板２０の同じ行に属する他の画素と互いに電気的に（以下同様）接続されている。走査信号線ＧＣＬは、ゲートドライバと接続され、ゲートドライバから走査信号（Ｖｓｃａｎ）が供給される。また、画素５０は、画素信号線ＳＧＬにより、画素基板２０の同じ列に属する他の画素と互いに接続されている。画素信号線ＳＧＬは、ソースドライバと接続され、ソースドライバから画素信号（Ｖｐｉｘ）が供給される。さらに、画素５０は、共通電極ＣＯＭＬにより、画素基板２０の同じ列に属する他の画素と互いに接続されている。共通電極ＣＯＭＬ３３は、共通電極ドライバと接続され、共通電極ドライバより駆動信号（Ｖｃｏｍ）が供給される。つまり、図５に示す例では、同じ一行に属する複数の画素５０が１つの共通電極ＣＯＭＬを共有するようになっている。
【００３４】
表示部４は、ゲートドライバにより走査信号（Ｖｓｃａｎ）を、図５に示す走査信号線ＧＣＬを介して、画素５０のＴＦＴ素子Ｔｒのゲートに印加することにより、画素基板２０にマトリックス状に形成されている画素５０のうちの１行（１水平ライン）を表示駆動の対象として順次選択する。表示部４は、ソースドライバにより画素信号（Ｖｐｉｘ）を、図５に示す画素信号線ＳＧＬを介して、順次選択される１水平ラインを構成する各画素５０にそれぞれ供給する。これらの画素５０は、供給される画素信号（Ｖｐｉｘ）に応じて、１水平ラインの表示が行われるようになっている。表示部４は、駆動信号（Ｖｃｏｍ）を印加し、共通電極ＣＯＭＬを駆動する。
【００３５】
上述したように、表示部４は、走査信号線ＧＣＬを時分割的に線順次走査するように駆動することにより、１水平ラインが順次選択される。また、表示部４は、１水平ラインに属する画素５０に対して、画素信号（Ｖｐｉｘ）を供給することにより、１水平ラインずつ表示が行われる。この表示動作を行う際、表示部４は、共通電極ＣＯＭＬに対して駆動信号（Ｖｃｏｍ）を印加するようになっている。
【００３６】
図４に戻り、対向基板３０は、ガラス基板３１と、このガラス基板３１の一方の面に形成されたカラーフィルタ３２とを含む。ガラス基板３１の他方の面には、偏光板３５が配設されている。また、偏光板３５のガラス基板３１側とは反対側の面には、接着層４１によって、バリア部６が接着されている。
【００３７】
カラーフィルタ３２は、例えば赤（Ｒ）、緑（Ｇ）、青（Ｂ）の３色に着色されたカラーフィルタが周期的に配列されて、上述した図５に示す各画素５０にＲ、Ｇ、Ｂの３色が１組として対応付けられている。具体的には、図６に示すように、カラー画像を形成する単位となる１個の画素、すなわち単位画素５は、例えば、複数の副画素（サブピクセル）を含む。この例では、単位画素５は、Ｒを表示する副画素５０Ｒと、Ｂを表示する副画素５０Ｂと、Ｇを表示する副画素５０Ｇとを含む。単位画素５が有する副画素５０Ｒ、５０Ｂ、５０Ｇは、Ｘ方向、すなわち表示装置１の行方向に向かって配列される。カラーフィルタ３２は、ＴＦＴ基板２１の表面に対して鉛直な方向において、液晶層６０と対向する。なお、カラーフィルタ３２は、異なる色に着色されていれば、他の色の組み合わせであってもよい。
【００３８】
単位画素５は、さらに１色又は複数色の副画素を有していてもよい。表示部４がモノクロ表示のみに対応する場合、図７に示すように、モノクロ画像を形成する単位となる１個の画素、すなわち単位画素５Ｍは、画素５０（カラー画像における副画素）に相当する。単位画素５はカラー画像を表示するための基本単位であり、単位画素５Ｍは、モノクロ画像を表示するための基本単位である。
【００３９】
共通電極ＣＯＭＬは、表示部４の共通駆動電極（対向電極）として機能する。本実施形態では、共通電極ＣＯＭＬは、複数の画素電極２２に共通の板状の電極である。なお、１つの共通電極ＣＯＭＬが複数の画素電極２２（１行を構成する画素電極２２）に対応するように配置されていてもよい。共通電極ＣＯＭＬは、ＴＦＴ基板２１の表面に対して鉛直な方向において、画素電極２２に対向し、上述した画素信号線ＳＧＬが延在する方向と平行な方向に延在している。共通電極ＣＯＭＬは、駆動電極ドライバから共通電極ＣＯＭＬに交流矩形波形の駆動信号が印加されるようになっている。ＴＦＴ基板２１とカラーフィルタ３２とは、シール材４０によって接着されている。
【００４０】
液晶層６０は、電界の状態に応じてそこを通過する光を変調するものである。液晶層６０は、本実施形態においては、例えば、ＦＦＳ（フリンジフィールドスイッチング）又はＩＰＳ（インプレーンスイッチング）等の横電界モードの液晶が用いられるが、これに限定されるものではなく、縦電界モードの液晶を用いてもよい。例えば、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶を用いてもよい。
【００４１】
液晶層６０と画素基板２０との間、及び液晶層６０と対向基板３０との間には、それぞれ配向膜が配設され、また、画素基板２０の下面側には入射側偏光板が配置されてもよい。
【００４２】
バリア部６は、基板１２１と、この基板１２１上方に列状に配設された複数の単位領域電極１２２と、ガラス基板１３１と、このガラス基板１３１の単位領域電極１２２側に配置された複数の駆動電極１３３と、ガラス基板１３１の他方の面に配置された偏光板１３５とが設けられている。なお、駆動電極１３３は、複数の画素電極１２２に共通の板状の電極としてもよい。
【００４３】
ガラス基板１３１の駆動電極１３３側の面と、基板１２１の単位領域電極１２２側の面とで挟まれた領域には、液晶層１６０が充填されている。液晶層１６０は、電界の状態に応じてそこを通過する光を変調するものである。液晶層１６０は、本実施形態においては、例えば、ＴＮ、ＶＡ、ＥＣＢ等の各種モードの液晶が用いられるが、これに限定されるものではなく、横電界モードの液晶を用いてもよい。例えば、ＦＦＳ又はＩＰＳ等の横電界モードの液晶を用いてもよい。液晶層１６０と基板１２１との間及び液晶層１６０とガラス基板１３１との間には、それぞれ配向膜が配設され、基板１２１の下面側、つまり表示部４側には入射側偏光板が配置されてもよい。
【００４４】
単位領域電極１２２は、図３に示す単位領域１５０と同様の形状であり、第１方向に沿って延在する細長い板形状である。単位領域電極１２２は、第２方向に複数列状に配置されている。
【００４５】
ガラス基板１３１と基板１２１とは、シール材１４０によって接着されている。シール材１４０は、導電性を有するものであり、一定の抵抗値を有している。例えば、絶縁性のシール材に、導電性を有する粒子を混入させておくことにより、一定の抵抗値を有するシール材１４０を実現してもよい。
【００４６】
バリア部６の各単位領域に対応する複数の信号線に跨ってシール材１４０が設けられることにより、バリア部６の各単位領域に対応する単位領域電極同士は一定の抵抗値で電気的に接続される。つまり、各単位領域に対応して複数の単位領域電極が設けられており、シール材１４０は、対応する単位領域の光透過状態を設定するための信号を印加する複数の導体である単位領域電極を、所定の抵抗値で電気的に接続する。一定の抵抗値を有するシール材１４０が、隣り合う単位領域電極同士を電気的に接続することにより、異なる２種類の電圧値が印加されている２つの単位領域電極の間に挟まれた単位領域電極を、それらの電圧値の中間電位に設定できる。
【００４７】
シール材１４０は、複数の単位領域電極に対向して設けられた共通電極である駆動電極１３３にも接するようにしてもよい。その場合、複数の単位領域電極は、シール材１４０及び共通電極である駆動電極１３３を経由する経路での抵抗分圧によって、中間電位が設定される。シール材１４０は、少なくとも、上記複数の信号線に跨っている部位に導電性を有する粒子を混入させておけばよく、シール材全体に導電性を有する粒子が混入している必要はない。なお、本実施形態におけるシール材１４０は、接続部の一例である。
【００４８】
表示部４及びバリア部６は、以上のような構成であり、制御部９からの信号に基づいて、画素電極２２及び単位領域電極１２２に印加する電圧を切り換えることで、利用者が三次元で視認する画像を表示させる。
【００４９】
（制御部による制御方法）
図８から図１２を用いて、制御部９による制御方法について具体的に説明する。図８は、本実施形態に係る制御部による制御方法の概念を示す図である。図９は、表示部に表示される右眼用画像の画素および左眼用画像の画素の画素表示の一例を示す図である。図１０は、利用者の左眼により視認される視認範囲の一部を示す図である。図１１は、利用者の右眼により視認される視認範囲の一部を示す図である。図１２は、制御部による右眼用画像の画素および左眼用画像の画素の画素表示の変更例を示す図である。
【００５０】
制御部９は、撮像部８により撮影される利用者の画像に基づいて、利用者Ｕ１の右眼及び左眼の位置を検出する。続いて、制御部９は、利用者Ｕ１の右眼及び左眼の位置と表示装置１との距離を算出する。利用者Ｕ１の右眼ＲＥ及び左眼ＬＥの位置と表示装置１（バリア部６）との距離は、利用者Ｕ１の右眼ＲＥ及び左眼ＬＥの位置とバリア部６までの最短距離であってもよいし、利用者Ｕ１の視線方向とバリア部６との接点距離であってもよい。制御部９は、例えば、表示装置１の起動時に、利用者Ｕ１の右眼ＲＥ及び左眼ＬＥの位置と表示装置１との距離を、表示部４及びバリア部６の制御を実行するための基準距離として予め算出するものとする。基準距離は、例えば、表示部４に表示される画像を視聴する際に、利用者Ｕ１自身の右眼ＲＥ及び左眼ＬＥの位置と表示装置１（バリア部６）との距離に相当する。続いて、制御部９は、利用者Ｕ１の右眼ＲＥ及び左眼ＬＥの位置と表示装置１（バリア部６）との距離に応じて、表示部４に表示させる右眼用画像の画素及び左眼用画像の画素の画素表示を決定するとともに、利用者Ｕ１の右眼ＲＥ及び左眼ＬＥの位置及び上記画素表示に応じて、バリア部６の各単位領域１５０の中から光を透過させる領域（光を透過させる領域及び光を遮断する領域）を決定する。
【００５１】
例えば、図８のステップＳ１に示すように、制御部９は、利用者Ｕ１の右眼ＲＥ及び左眼ＬＥの位置と表示装置１との距離“Ｄ＝ｄ１”を算出する。続いて、制御部９は、算出した右眼ＲＥ及び左眼ＬＥの位置並びに距離に応じて、例えば、図８のステップＳ１に示すように、例えば、左眼用画像の画素Ｐ１と右眼用画像の画素Ｐ２とが表示部４に交互に表示されるように、画素の表示を決定する。なお、図８のステップＳ１では、左眼用画像の画素Ｐ１及び右眼用画像の画素Ｐ２を交互に表示する例を示すが、利用者Ｕ１が左眼ＬＥ及び右ＲＥ眼の視差を確保できるのであれば、交互に表示する例には限定されず、どのような表示であってもよい。そして、制御部９は、例えば、図８のステップＳ１に示すように、表示部４に交互に表示された左眼用の画素Ｐ１及び右眼用の画素Ｐ２のうち、左眼ＬＥ用の画素Ｐ１がバリア部６を介して利用者Ｕ１の左眼により視認され、右眼用の画素Ｐ２がバリア部６を介して利用者Ｕ１の右眼ＲＥにより視認されるように、バリア部６の各単位領域１５０の中から、光を透過させる領域を決定する。
【００５２】
図８に示すステップＳ１では、制御部９による制御によって、図９に示すように、表示部４の表示面４Ｓに、Ｙ軸方向に左眼用画像の画素Ｐ１が複数表示されて構成される左眼用画像の画素Ｐ１の画素列、及びＹ軸方向に右眼用画像の画素Ｐ２が複数表示されて構成される右眼用画像の画素Ｐ２の画素列が、Ｘ軸方向に交互に列状に配置される。また、図８に示すステップＳ１では、制御部９による制御によって、図１０に示すように、表示部４に表示される左眼用の画素Ｐ１がバリア部６を介して利用者Ｕ１の左眼ＬＥにより視認されるように、バリア部６（の各単位領域１５０）の中から光を透過させる領域が決定される。同様に、制御部９による制御によって、図１１に示すように、表示部４に表示される右眼用の画素Ｐ２がバリア部６を介して利用者Ｕ１の右眼ＲＥにより視認されるように、バリア部６（の各単位領域１５０）の中から光を透過させる領域が決定される。
【００５３】
続いて、制御部９は、利用者Ｕ１の右眼ＲＥ及び左眼ＬＥの位置と表示装置１との距離を算出した結果、ステップＳ１で算出した右眼ＲＥ及び左眼ＬＥの位置並びに距離と異なる場合には、表示部４における画素表示、及びバリア部６の単位領域１５０の透過及び遮断を更新する。すなわち、制御部９は、利用者Ｕ１の右眼ＲＥ及び左眼ＬＥの位置と表示装置１との距離に応じて、表示部４に表示させる左眼用画像の画素及び右眼用画像の画素の画素表示を変更するとともに、バリア部６の各単位領域１５０の中から光を透過させる単位領域１５０を変更する。
【００５４】
例えば、図８のステップＳ２に示すように、制御部９は、利用者Ｕ１の右ＲＥ眼及び左眼ＬＥの位置と表示装置１との距離“Ｄ＝ｄ２”を算出する。続いて、制御部９は、算出した右眼ＲＥ及び左眼ＬＥの位置並びに距離に応じて、例えば、図８のステップＳ２に示すように、左眼用画像の画素Ｐ１及び右眼用画像の画素Ｐ２の画素表示を変更する。続いて、制御部９は、変更された画素表示、及び利用者Ｕ１の右眼ＲＥ及び左眼ＬＥの位置に応じて、右眼用の画素Ｐ２がバリア部６を介して利用者Ｕ１の右眼ＲＥにより視認され、左眼用の画素Ｐ１がバリア部６を介して利用者Ｕ１の左眼ＬＥにより視認されるように、バリア部６の各単位領域１５０の中から光を透過させる領域を決定する。
【００５５】
図８に示すステップＳ２では、制御部９による制御によって、図１２に示すように、表示部４に表示させる左眼用画像の画素及び右眼用画像の画素の画素表示を変更するとともに、バリア部６の各単位領域１５０の中から光を透過させる単位領域１５０を変更する。すなわち、図８に示すステップＳ２は、ステップＳ１の左眼用画像の画素Ｐ１の画素列と、右眼用画像の画素Ｐ２の画素列との位置が入れ替わった状態になる。このように位置を入れ替えるには、制御部９による制御によって、図１２に示すように、表示部４に表示される左眼用の画素Ｐ１がバリア部６を介して利用者Ｕ１の左眼ＬＥにより視認されるように、バリア部６（の各単位領域１５０）の中から光を透過させる領域が変更される。同様に、制御部９による制御によって、図１２に示すように、表示部４に表示される右眼用の画素Ｐ２がバリア部６を介して利用者Ｕ１の右眼ＲＥにより視認されるように、バリア部６（の各単位領域１５０）の中から光を透過させる領域が変更される。
【００５６】
このように、制御部９は、利用者Ｕ１の右眼ＲＥ及び左眼ＬＥの位置と表示装置１（バリア部６）との距離に応じて、左眼用画像の画素及び右眼用画像の画素の画素表示を変更する。なお、制御部９が、利用者Ｕ１の右眼ＲＥ及び左眼ＬＥの位置と表示装置１（バリア部６）との距離に応じて実行する画素表示の変更方法は、右眼ＲＥ及び左眼ＬＥの位置と表示装置１の位置関係などに基づいて設計段階でキャリブレーションにより予め設定しておいてもよいし、表示装置１の使用段階でリアルタイム処理により算出するようにしてもよい。
【００５７】
上述したように、制御部９は、利用者の右眼ＲＥ及び左眼ＬＥの位置に応じて、バリア部６の単位領域を介して、右眼用画像が利用者の右眼ＲＥにより視認され、左眼用画像が利用者の左眼ＬＥにより視認されるように、バリア部６の各単位領域の中から光を透過させる単位領域を決定する。例えば、制御部９は、画素表示を変更した後、変更した画素表示に応じてバリア部６の各単位領域の中から光を透過させる単位領域を変更する。
【００５８】
（制御部による制御の流れ）
図１３を用いて、本実施形態に係る制御部９による制御の流れを説明する。図１３は、本実施形態に係る制御部による制御の流れを示すフローチャートである。図１３に示す制御は、例えば、三次元画像の表示開始とともに実行される。
【００５９】
図１３に示すように、制御部９は、撮像部８により取得した画像に基づいて、利用者の右眼ＲＥ及び左眼ＬＥの位置（右眼ＲＥと左眼ＬＥの位置）を検出する（ステップＳ１０１）。続いて、制御部９は、表示装置１と、利用者Ｕ１の右眼ＲＥ及び左眼ＬＥの位置との距離を算出する（ステップＳ１０２）。なお、表示装置１と右眼ＲＥ及び左眼ＬＥの位置との距離は、利用者Ｕ１の右眼ＲＥ及び左眼ＬＥの位置とバリア部６までの最短距離であってもよいし、利用者Ｕ１の視線方向とバリア部６との接点距離であってもよい。
【００６０】
続いて、制御部９は、表示装置１と右眼ＲＥ及び左眼ＬＥの位置との距離に基づいて、表示部４に表示する右眼用画像の画素及び左眼用画像の画素の画素表示を決定する（ステップＳ１０３）。続いて、制御部９は、表示装置１と右眼ＲＥ及び左眼ＬＥの位置と画素表示に基づいて、バリア部６の光の透過及び遮断を制御する（ステップＳ１０４）。すなわち、制御部９は、バリア部６の各単位領域１５０の中から、光を透過させる領域と光を遮断させる領域とを決定する。
【００６１】
そして、制御部９は、画像を表示中であるかを判定する（ステップＳ１０５）。制御部９は、判定の結果、画像を表示中である場合には（ステップＳ１０５，Ｙｅｓ）、上記ステップＳ１０１に戻り、図１３に示す制御を継続する。一方、制御部９は、判定の結果、画像を表示中ではない場合には（ステップＳ１０５，Ｎｏ）、図１３に示す制御を終了する。
【００６２】
さらに、図１４を参照し、バリア部６の構成について説明する。図１４は、バリア部の構成例を示す図である。バリア部６は、複数の単位領域によって構成される。例えば、図１４に示すように、バリア部６は単位領域１５１〜１５８を有する。バリア部６には、各単位領域１５１〜１５８に対応して、信号線１２２１〜１２２８が設けられている。信号線１２２１〜１２２８は、それぞれ対応する単位領域電極１２２に接続されている。単位領域１５１〜１５８は、信号線１２２１〜１２２８に印加される電圧値によって、光透過状態が設定される。すなわち、単位領域１５１〜１５８は、信号線１２２１〜１２２８に印加される電圧値によって、光を透過させる状態又は光を透過させない（光を遮断する）状態に設定される。
【００６３】
また、各単位領域１５１〜１５８に対応する信号線１２２１〜１２２８に跨って接し、一定の抵抗値を有するシール材１４０が設けられている。シール材１４０はバリア部６を構成する各単位領域１５１〜１５８に対応する信号線１２２１〜１２２８に電気的に接続されている。このため、シール材１４０は、バリア部６を構成する各単位領域１５１〜１５８に対応する単位領域電極１２２同士を、一定の抵抗値で電気的に接続する。
【００６４】
図１４を参照すると、バリア部を構成する単位領域１５１〜１５８に対応する信号線１２２１〜１２２８に、電圧値を印加するドライバ回路Ｄ１〜Ｄ８が接続されている。ドライバ回路Ｄ１〜Ｄ８は、制御部９の制御によって、光を透過させる状態に設定する電圧値Ｖｌ（例えば、０（Ｖ））と、光を透過させない（光を遮断する）状態に設定する電圧値Ｖｈ（例えば、５（Ｖ））とを選択的に出力する。また、ドライバ回路Ｄ１〜Ｄ８については、制御部９の制御によって、電気的に切り離された状態である、ハイインピーダンス状態に設定することもできる。制御部９内に設けられていてもよいし、バリア部６の表示領域外（いわゆる額縁部分）に設けられていてもよい。中間電位に設定される単位領域に対応する信号線については、その信号線に対応するドライバ回路がハイインピーダンス状態に設定されることが望ましい。ドライバ回路Ｄ１〜Ｄ８には、例えば、３ステートバッファを用いることができるが、これに限定されるものではない。３ステートバッファを用いる場合、その制御端子に、制御部９から出力する制御信号を印加することによって、ハイインピーダンス状態に設定できる。
【００６５】
図１４を参照すると、バリア部を構成する単位領域１５１〜１５８に対応する信号線１２２１〜１２２８に、電圧値を印加するドライバ回路Ｄ１〜Ｄ８が接続されている。単位領域１５１、１５２、１５８については、ドライバ回路Ｄ１、Ｄ２、Ｄ８の出力により、光を透過させない（光を遮断する）状態に設定する電圧Ｖｈが印加される。また、単位領域１５４、１５５、１５６については、ドライバ回路Ｄ４、Ｄ５、Ｄ６の出力により、光を透過させる状態に設定する電圧Ｖｌが印加される。このとき、制御部９により、ドライバ回路Ｄ３をハイインピーダンス状態に設定すれば、信号線１２２２に対応する単位領域電極１２２と信号線１２２４に対応する単位領域電極１２２とがシール材１４０を介して一定の抵抗値で電気的に接続されているため、信号線１２３に対応する単位領域電極１２２にはドライバ回路Ｄ２の出力とドライバ回路Ｄ４の出力との中間電位が印加される。同様に、制御部９により、ドライバ回路Ｄ７をハイインピーダンス状態に設定すれば、信号線１２６に対応する画素電極と信号線１２２８に対応する画素電極とがシール材１４０を介して一定の抵抗値で電気的に接続されているため、信号線１２２７に対応する画素電極にはドライバ回路Ｄ６の出力とドライバ回路Ｄ８の出力との中間電位Ｖｍが印加される。
【００６６】
本実施形態では液晶の立ち上がりと立ち下がりとの速度差を低減するため、中間電位を、光を透過させる状態に設定する電圧値Ｖｌが印加される単位領域電極と光を透過させない（光を遮断する）状態に設定する電圧値Ｖｈが印加される単位領域電極との間に設けられている単位領域電極１２２に、予め印加する。バリア部６の単位領域電極１２２のうち、中間電位を予め印加する必要のある単位領域電極１２２が、黒表示画素に隣接している点に注目し、隣り合う複数の単位領域電極１２２同士を一定の抵抗を持ったシール材１４０を介して電気的に接続し、ドライバ回路の出力が直接印加されない電極に対して電圧降下された実効電圧が印加されるようにする。
【００６７】
シール材１４０は、一定の抵抗値を有しており、信号線１２２１〜１２２８の隣り合うもの同士を、一定の抵抗値で電気的に接続する。シール材１４０の抵抗値により、異なる２種類の電圧値が印加されている２つの画素電極の間に挟まれた画素電極は、抵抗分圧により、それらの電圧値の中間電位に設定される。抵抗分圧を利用しているため、異なる２種類の電圧値が印加されている２つの単位領域電極１２２の間に挟まれた単位領域電極１２２を中間電位に設定するための専用の電圧源を用意する必要はない。
【００６８】
図１５から図１７は、本実施形態の構成において、トラッキングを行った場合のバリア部６の断面を模式的に示す図である。図１５から図１７は、例えば、図１４のＡ−Ａ’部の断面を模式的に示す。図１５〜図１７は、バリア部６を構成する複数の単位領域のうちの一部である、単位領域１５１〜１５８を示す。
【００６９】
ここで、図１５から図１７を参照し、トラッキング前の状態である状態Ｐ１からトラッキング後の状態である状態Ｐ３に遷移する途中に存在する、切り替え直後の状態Ｐ２について説明する。図１５〜図１７においては、光を透過させる状態に設定するための電圧値が印加されている場合は白抜きで、光を透過させない（光を遮断する）状態に設定するための電圧値が印加されている場合は黒塗りで、中間電位に設定されている場合はハッチングで、それぞれ表現されている。
【００７０】
図１５に示す状態Ｐ１において、単位領域１５３〜１５５には、光を透過させる状態に設定する電圧値Ｖｌ（例えば、０（Ｖ））が印加される。また、状態Ｐ１において、単位領域１５１、１５７、１５８には、光を透過させない（光を遮断する）状態に設定する電圧値Ｖｈ（例えば、５（Ｖ））が印加される。
【００７１】
ここで、各単位領域１５１〜１５８に対応する単位領域電極１２２は、シール材１４０に接する信号線に接続している。このため、例えば、単位領域１５１に対応する単位領域電極１２２と単位領域１５３に対応する単位領域電極１２２との間に位置する単位領域電極１２２は、光を透過させる状態に設定する電圧値（例えば、０（Ｖ））と、光を透過させない（光を遮断する）状態に設定する電圧値（例えば、５（Ｖ））との中間電位Ｖｍに設定される。中間の電位は、例えば、閾値電圧値（例えば、３（Ｖ））とする。また、単位領域１５５に対応する画素電極と単位領域１５７に対応する画素電極との間に位置する画素電極も、同様に、中間の電位が印加される。
【００７２】
図１５に示す状態Ｐ１から図１６に示す状態Ｐ２を経て図１７に示す状態Ｐ３へ遷移する場合を考えると、状態Ｐ１の時に、単位領域１５２に対応する単位領域電極１２２と、単位領域１５６に対応する単位領域電極１２２とは、いずれも中間電位Ｖｍに設定されている。このため、状態Ｐ１の直後の状態Ｐ２の時に、単位領域１５２に対応する単位領域電極１２２が中間電位Ｖｍから例えば５（Ｖ）に変化することによって液晶の状態が変化する時間と、単位領域１５６に対応する単位領域電極１２２が中間電位Ｖｍから例えば０（Ｖ）に変化することによって液晶の状態が変化する時間との差がほとんどなくなる。したがって、状態Ｐ１から状態Ｐ３へ遷移する場合、後述する比較例に比べて、表示装置全体として輝度の変化が少なく、ちらつきが少ない。
【００７３】
（比較例）
本実施形態の構成を採用しない比較例の場合について、図１８から図２１を参照して説明する。図１８〜図２０は、トラッキングを行った場合のバリア部の断面を模式的に示す図である。
【００７４】
図１８〜図２０において、単位領域１５１〜１５８は、例えば、０（Ｖ）が印加された時にＯＦＦの状態になる。このＯＦＦの状態は、図１８〜図２０において白抜きとして表現されている。また、液晶は、５（Ｖ）が印加された時にＯＮの状態になる。このＯＮの状態は、図１８〜図２０において黒塗りで表現されている。
【００７５】
縦電界モード（例えば、ＴＮモード）の液晶は、ＯＦＦの状態からＯＮの状態に変化する速度（すなわち、立ち上がりの速度）よりも、ＯＮの状態からＯＦＦの状態に変化する速度（すなわち、立ち下がりの速度）の方が遅い。この速度に違いがあるため、両眼視差バリア方式のアイトラッキング対応の表示装置においては、トラッキング時において、図１８に示す状態Ｐ１１から、図１９に示す状態Ｐ３１に遷移する途中に、図１９に示す状態Ｐ２１が存在する。図１９に示す状態Ｐ２１では、ＯＦＦ状態の単位領域の数が少ないので表示装置全体での輝度が一瞬低下し、画面が暗くなる。その後、状態Ｐ３１になり、表示装置全体で元の輝度に回復する。つまり、画面切り替わり直後は表示面積に対する黒表示の割合が大きくなり、全体として暗く感じられる。その後、本来の表示割合となるため明るくなり、その輝度の変化がちらつきとして視認される。
【００７６】
図２１は、トラッキングを行う際の表示装置全体での透過率の変化の測定例を示す図である。図２１において、横軸は測定開始時点からの経過時間（ｍｓ）を示し、縦軸は光の透過率（％）を示す。図２１に示すように、例えば、状態Ｐ１１の時（図中の約４３０（ｍｓ））に約４０（％）であった透過率が、例えば、状態Ｐ２１の時（図中の約５２０（ｍｓ））に、約３３（％）まで低下する。その後、透過率は、例えば、状態Ｐ３１の時（図中の約６００（ｍｓ））に約４０（％）程度に回復する。このように、約１７０（ｍｓ）程度の時間内に、透過率が急激に低下して回復すると、輝度の変化がちらつきとして視認される。
【００７７】
以上のような比較例に対し、上述した本実施形態の場合、ＯＮの状態に対応する電圧が印加される単位領域と、ＯＦＦの状態に対応する電圧が印加される単位領域との間に位置する単位領域については、それら単位領域にそれぞれ印加される電圧値の中間の電位に設定される。このため、状態Ｐ１から状態Ｐ３への遷移の際に輝度の低下は少なく、上述したちらつきは視認されないか又は軽減される。
【００７８】
（変形例１）
図２２は、接続部の変形例１を示す図である。図２２に示す変形例１では、シール材１４０の代わりに、信号線１２２１〜１２２８に跨って設けた配線４３を接続部としている。各信号線１２２１〜１２２８は、バリア部６の各単位領域に対応して設けられている。
【００７９】
配線４３は、一定の抵抗値を有しており、信号線１２２１〜１２２８について、隣り合う信号線同士を、一定の抵抗値を介して電気的に接続する。単位領域１５１、１５２、１５８については、ドライバ回路Ｄ１、Ｄ２、Ｄ８の出力により、光を透過させない（光を遮断する）状態に設定する電圧が印加される。また、単位領域１５４、１５５、１５６については、ドライバ回路Ｄ４、Ｄ５、Ｄ６の出力により、光を透過させる状態に設定する電圧が印加される。このとき、制御部９により、ドライバ回路Ｄ３をハイインピーダンス状態に設定すれば、信号線１２２２と信号線１２４とが配線４３によって接続されているため、信号線１２２３にはドライバ回路Ｄ２の出力とドライバ回路Ｄ４の出力との中間電位が印加される。同様に、制御部９により、ドライバ回路Ｄ７をハイインピーダンス状態に設定すれば、信号線１２２６と信号線１２２８とが配線４３によって接続されているため、信号線１２７にはドライバ回路Ｄ６の出力とドライバ回路Ｄ８の出力との中間電位が印加される。
【００８０】
配線４３の抵抗値により、異なる２種類の電圧値が印加されている２つの信号線の間に挟まれた信号線はそれら電圧値の中間電位に設定される。したがって、中間電位に設定するための専用の電圧源を用意する必要はない。配線４３を用いた変形例１においても、図１５から図１７を参照して説明したように動作するため、上記の比較例に比べて、表示装置全体として輝度の変化が少なく、ちらつきが少ない。
【００８１】
（変形例２）
図２３は、各信号線同士を接続する接続部の変形例２を示す図である。図２３に示す変形例２では、各信号線１２２１〜１２２８に跨って設けた、配線４３ａ及び４３ｂを接続部としている。２本の配線４３ａ及び４３ｂは、それぞれ一定の抵抗値を有する。２本の配線４３ａ及び４３ｂは、同じ抵抗値としても良いし、異なる抵抗値としてもよい。２本の配線４３ａ及び４３ｂの抵抗値を適切に設定することにより、配線４３ａの抵抗値と配線４３ｂの抵抗値との合成抵抗値により、各信号線１２２１〜１２２８の間に所望の抵抗値を実現することができる。
【００８２】
２本の配線４３ａ及び４３ｂを用いた変形例２においても、図１５〜図１７を参照して説明したように動作するため、上記の比較例に比べて、表示装置全体として輝度の変化が少なく、ちらつきが少ない。
【００８３】
（変形例３）
図２４は、各信号線同士を接続する接続部の変形例３を示す図である。図２４に示す変形例３では、各信号線１２２１〜１２２８に跨って設けた、配線４３ｃを接続部としている。配線４３ｃは、図１８に示す配線４３に比べて線幅が大きい。この配線４３ｃの線幅を適切に設定することにより、各信号線１２２１〜１２２８の間に所望の抵抗値を実現することができる。
線幅の大きい配線４３ｃを用いた変形例３においても、図１５〜図１７を参照して説明したように動作するため、上記の比較例に比べて、表示装置全体として輝度の変化が少なく、ちらつきが少ない。
【００８４】
（変形例４）
変形例１から変形例３では、シール材１４０を設ける代わりに、信号線１２２１〜１２２８に跨る配線を設けているが、シール材１４０を設けるとともに、信号線１２２１〜１２２８に跨る配線を設けてもよい。シール材１４０及び配線による分圧抵抗によって各信号線１２２１〜１２２８の間に所望の抵抗値を実現し、図１５〜図１７を参照して説明したように動作させれば、上記の比較例に比べて、表示装置全体として輝度の変化が少なく、ちらつきが少ない。
【００８５】
（製造方法）
次に、バリア部６の製造方法の例について説明する。図２５〜図３０は、バリア部６の製造方法の一例を示す図である。図２５に示すように、基板１２１の表面に、画素電極１２２を形成することによって、画素基板１２０を作成する。
【００８６】
また、図２６に示すように、ガラス基板１３１の表面に、駆動電極１３３を形成する。次に、ガラス基板１３１の、駆動電極１３３が形成されていない側に、偏光板１３５を設ける。
【００８７】
以上のように作成した、対向基板１３０と、画素基板１２０とを貼り合わせる。例えば、画素基板１２０の周辺部分に一定の抵抗値を有するシール材を塗布し、シール材を接着材として、図２７に示すように反転させた対向基板１３０と画素基板１２０とを貼り合わせる。ここで、画素基板１２０の周辺部分の一部にはシール材を塗布しないこととし、その部分は液晶を注入するための注入口（図示せず）とする。
【００８８】
図２８は、画素基板１２０と対向基板１３０とを貼り合わせた状態を示す。図２８に示すように、画素基板１２０に塗布された一定の抵抗値を有するシール材１４０によって、画素基板１２０と対向基板１３０とが貼り合わされる。
【００８９】
次に、図２９に示すように、画素電極１２２と駆動電極１３３との間の空間に液晶を注入し、液晶層１６０とする。液晶は、注入口（図示せず）から注入する。液晶を注入した後、液晶を注入するための注入口（図示せず）を封止材（図示せず）で封止する。最後に、図３０に示すように、フレキシブルケーブル１４２を取り付ける。以上により、バリア部６が得られる。
【００９０】
以上のように作成されたバリア部６を、表示部４と貼り合わせることによって、図４に示す表示装置１が得られる。
【００９１】
さらに、図３１を参照して、実施形態に係る表示装置の製造方法について説明する。図３１は本実施形態に係る表示装置の製造方法を示すフローチャートである。
【００９２】
ステップＳ１１において、ＴＦＴ基板２１の表面に共通電極ＣＯＭＬを形成する。ステップＳ１２において、共通電極ＣＯＭＬの上に絶縁層２４を形成する。ステップＳ１３において、絶縁層２４の上に画素電極２２を形成する。以上により、画素基板２０が得られる。
【００９３】
ステップＳ１４において、ガラス基板３１の表面にカラーフィルタ３２を形成する。ステップＳ１５において、ガラス基板３１の、カラーフィルタ３２が形成されていない側の表面に偏光板３５を設ける。以上により、対向基板３０が得られる。
【００９４】
ステップＳ１６において、画素基板２０にシール材４０を塗布し、対向基板３０を裏返して、画素基板２０と対向基板３０とを貼り合わせる。ここで、シール材４０を塗布しない部分を設けておき、その部分を液晶注入口とする。
【００９５】
ステップＳ１７において、複数の表示装置を同時に製造する場合は、個々の表示装置に分断する。ステップＳ１８において、液晶注入口から液晶を注入する。ステップＳ１９において、封止材で液晶注入口を塞ぐことによって、液晶を封止する。ステップＳ２０において、フレキシブルケーブル４２を取り付ける。以上により、表示部４が得られる。
【００９６】
ステップＳ２１において、基板１２１の表面に画素電極１２２を形成することにより、画素基板１２０が得られる。ステップＳ２２において、ガラス基板１３１の表面に駆動電極１３３を形成する。ステップＳ２３において、ガラス基板１３１の、駆動電極１３３が形成されていない側の表面に偏光板１３５を設ける。以上により、対向基板１３０が得られる。
【００９７】
ステップＳ２４において、画素基板１２０にシール材１４０を塗布し、対向基板１３０を裏返して、画素基板１２０と対向基板１３０とを貼り合わせる。ここで、シール材１４０を塗布しない部分を設けておき、その部分を液晶注入口とする。なお、画素基板１２０と対向基板１３０とを貼り合わせる際、シール材１４０が、複数の画素電極１２２に対応する複数の信号線に跨って接した状態になる。
【００９８】
ステップＳ２５において、複数の表示装置を同時に製造する場合は、個々の表示装置に分断する。ステップＳ２６において、液晶注入口から液晶を注入する。ステップＳ２７において、封止材で液晶注入口を塞ぐことによって、液晶を封止する。ステップＳ２８において、フレキシブルケーブル１４２を取り付ける。以上により、バリア部６が得られる。
【００９９】
次に、ステップＳ３１において、例えば、接着剤によって、表示部４とバリア部６とを接着する。以上の工程により、表示装置が得られる。
【０１００】
以上の製造方法は、画像を表示する表示部４を形成（図３１のステップＳ１１〜Ｓ１９）し、上記表示部に表示される右眼用画像の画素及び左眼用画像の画素の画素表示を決定するとともに、上記右眼及び左眼の位置及び上記画素表示に応じて、視差調整部（バリア部６）に含まれる複数の単位領域について光透過状態を設定する視差調整部を形成（図３１のステップＳ２１〜Ｓ２８）し、上記視差調整部の各単位領域に対応してそれぞれ設けられている複数の電気的要素であり、対応する単位領域に該領域の光透過状態を設定するための信号を印加する複数の電気的要素を、所定の抵抗値で電気的に接続する接続部を形成する（図３１のステップＳ２４）、製造方法である。この製造方法により、トラッキング時のちらつきを改善できる表示装置が得られる。
【０１０１】
＜２．適用例＞
次に、図３２及び図３３を参照して、実施形態及び変形例で説明した表示装置１の適用例について説明する。図３２及び図３３は、本実施形態に係る表示装置１を適用する電子機器の一例を示す図である。本実施形態及び変形例に係る表示装置１は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、本実施形態及び変形例に係る表示装置１は、外部から入力された映像信号あるいは内部で生成した映像信号を、画像あるいは映像として表示するあらゆる分野の電子機器に適用することが可能である。
【０１０２】
（適用例１）
図３２に示す電子機器は、本実施形態及び変形例に係る表示装置１が適用されるテレビジョン装置である。このテレビジョン装置は、例えば、フロントパネル５１１及びフィルターガラス５１２を含む映像表示画面部５１０を有しており、この映像表示画面部５１０は、本実施形態及び変形例に係る表示装置１である。
【０１０３】
（適用例２）
図３３に示す電子機器は、携帯型コンピュータ、多機能な携帯電話、音声通話可能な携帯コンピュータ又は通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、本実施形態及び変形例に係る表示装置１である。
【０１０４】
以上、実施形態及び電子機器への適用例を挙げて本技術を説明したが、本技術はこれらの実施形態等には限定されず、種々の変形が可能である。
【０１０５】
例えば、上記実施形態等では、タッチセンサは静電容量式、光学式、抵抗膜式、のいずれであってもよい。
【０１０６】
上記実施形態等では、開示例として液晶表示装置の場合を例示したが、その他の適用例として、ＥＬ（Electro Luminescence）表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることはいうまでもない。
【０１０７】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１０８】
また、本実施形態において述べた態様によりもたらされる他の作用効果について本明細書記載から明らかなもの、又は当業者において適宜想到し得るものついては、当然に本発明によりもたらされるものと解される。
【符号の説明】
【０１０９】
１  表示装置
２  バックライト
４  表示部
６  バリア部
８  撮像部
９  制御部
４３、４３ａ、４３ｂ、４３ｃ  配線
４５  接続部
１４０  シール材
１２２１−１２２８  信号線
【図１】
2015125428.tif 000003
【図２】
2015125428.tif 000004
【図３】
2015125428.tif 000005
【図４】
2015125428.tif 000006
【図５】
2015125428.tif 000007
【図６】
2015125428.tif 000008
【図７】
2015125428.tif 000009
【図８】
2015125428.tif 000010
【図９】
2015125428.tif 000011
【図１０】
2015125428.tif 000012
【図１１】
2015125428.tif 000013
【図１２】
2015125428.tif 000014
【図１３】
2015125428.tif 000015
【図１４】
2015125428.tif 000016
【図１５】
2015125428.tif 000017
【図１６】
2015125428.tif 000018
【図１７】
2015125428.tif 000019
【図１８】
2015125428.tif 000020
【図１９】
2015125428.tif 000021
【図２０】
2015125428.tif 000022
【図２１】
2015125428.tif 000023
【図２２】
2015125428.tif 000024
【図２３】
2015125428.tif 000025
【図２４】
2015125428.tif 000026
【図２５】
2015125428.tif 000027
【図２６】
2015125428.tif 000028
【図２７】
2015125428.tif 000029
【図２８】
2015125428.tif 000030
【図２９】
2015125428.tif 000031
【図３０】
2015125428.tif 000032
【図３１】
2015125428.tif 000033
【図３２】
2015125428.tif 000034
【図３３】
2015125428.tif 000035